(57)【要約】      （修正有）【課題】作業負担を増大させること無く、所定以上の精度で対象部位の位置を特定できる毛髪の計測又は観測の部位特定方法及び装置を提供する。【解決手段】頭部２の左右の側部に装着部１４をそれぞれ位置決め装着する装着工程と、該装着工程の後、左右の装着部１４の少なくとも一方側に前後回動可能に設けられた回動体７に形成方向にスライド可能に取付けられたバンド８を、予め定められた部位特定スライド位置にスライド移動させることにより、頭部２の形状にバンド８を対応させるスライド調整工程と、スライド調整工程の後、前記バンド８を予め定められた前後回動位置である部位特定回動位置に前後回動させることにより、該バンド８が計測又は観察の対象となる対象部位Ｐの近傍を通過する状態とする回動調整工程と、該回動調整工程の後、バンド８上の予め定められた箇所である部位特定位置に基づいて上記対象部位Ｐを特定する部位特定工程とを有する。【選択図】図２
2011024836.tif 000002
【特許請求の範囲】
【請求項１】
頭部（２）の左右の側部に装着部（１４）をそれぞれ位置決め装着する装着工程と、該装着工程の後、頭部（２）の毛髪側（２ｂ）に沿って円弧状に湾曲形成された状態で左右の装着部（１４）の一方側から他方側に架渡されて左右の各装着部（１４）側に前後回動可能に支持されるとともに、左右の装着部（１４）の少なくとも一方側に前後回動可能に設けられた回動体（７）に形成方向にスライド可能に取付けられたバンド（８）を、予め定められた部位特定スライド位置にスライド移動させることにより、頭部（２）の形状にバンド（８）を対応させるスライド調整工程と、スライド調整工程の後、前記バンド（８）を予め定められた前後回動位置である部位特定回動位置に前後回動させることにより、該バンド（８）が計測又は観察の対象となる対象部位（Ｐ）の近傍を通過する状態とする回動調整工程と、該回動調整工程の後、バンド（８）上の予め定められた箇所である部位特定位置に基づいて上記対象部位（Ｐ）を特定する部位特定工程とを有する毛髪の計測又は観測の部位特定方法。
【請求項２】
任意に選択された頭部（２）毛髪側（２ｂ）の箇所である上記対象部位（Ｐ）の近傍を通過するようにバンド（８）を前後回動させ、この際のバンド（８）の装着部（１４）に対する前後回動位置を部位特定回動位置として定める請求項１の毛髪の計測又は観測の部位特定方法。
【請求項３】
任意に選択された頭部（２）毛髪側（２ｂ）の箇所である上記対象部位（Ｐ）の近傍を通過するように前後回動させた状態のバンド（８）における上記対象部位（Ｐ）と近接又は接触する箇所を、部位特定位置として定める請求項１又は２の毛髪の計測又は観測の部位特定方法。
【請求項４】
頭部（２）の左右の側部に装着部（１４）をそれぞれ位置決め装着した状態で、頭部（２）の形状に沿って円弧状に湾曲するようにバンド（８）を回動体（７）に対してスライド移動させ、該スライド移動させた位置を、上記部位特定スライド位置として定める請求項１，２又は３の毛髪の計測又は観測の部位特定方法。
【請求項５】
頭部（２）の左右の側部にそれぞれ位置決め装置される左右一対の装着部（１４）と、頭部（２）の毛髪側（２ｂ）に沿って円弧状に湾曲形成された状態で左右の装着部（１４）の一方側から他方側に架渡されて左右の各装着部（１４）側に前後回動可能に支持されるとともに、左右の装着部（１４）の少なくとも一方側に前後回動可能に設けられた回動体（７）に形成方向にスライド可能に取付けられたバンド（８）とを備え、頭部（２）の形状にバンド（８）を対応させる予め定められたスライド位置である部位特定スライド位置と、バンド（８）が計測又は観察の対象となる対象部位（Ｐ）の近傍を通過する前後回動位置である予め定められた部位特定回動位置と、バンド（８）上の上記対象部位（Ｐ）を示す予め定められた箇所である部位特定位置とが分るように装着部（１４）及びバンド（８）を構成した毛髪の計測又は観測の部位特定装置。
【発明の詳細な説明】
【技術分野】
【０００１】
この発明は、毛髪の計測又は観測の部位特定方法及び装置に関する。
【背景技術】
【０００２】
近年、発毛剤の効果等を確認するために、被験者の毛髪の計測や観測を行うための種々の方法が開発され、公知になっている。その１つとして、被験者（被計測者、被観測者）の頭部毛髪側における任意の箇所を対象部位として選定し、この対象部位の毛髪をカットし、時間の経過に伴って上記対象部位の計測又は観察を複数回行い、対象部位の毛髪の発育状態を確認することにより、発毛効果等の評価を行うことが可能な特許文献１に示す毛髪の計測又は観測方法が公知になっている。
【０００３】
このような毛髪の計測又は観測方法においては、初めに選定された対象部位を、次回以降の計測又は観測時に、どのように見つけ出すかが問題となる。例えば、上記文献には、対象部位を選定した際に、右耳から対象部位を経て左耳まで至るように右耳と左耳を紐によって結び、右耳から対象部位までの距離を記録するとともに、眉毛と眉毛の中心から対象部位までを紐で結び、その距離を記録する他、対象部位が見えるように頭部全体の写真を撮影し、上記記録及び写真から大まかな対象部位を特定する毛髪の計測又は観測の部位特定方法が示されている。
【先行技術文献】
【特許文献】
【０００４】
【特許文献１】特開２００７−２６００３８号公報
【発明の概要】
【発明が解決しようとする課題】
【０００５】
上記文献の毛髪の計測又は観測の部位特定方法は、対象部位が示された頭部全体の写真により対象部位を特定した場合には、対象部位の正確な位置を特定することが困難であるという課題があり、また、右耳から対象部位を経て左耳まで至るように右耳と左耳を紐によって結ぶとともに眉毛と眉毛の中心から対象部位までを紐で結んで上記所定箇所から対象部位までの距離を測定し、この測定値に基づいて次回以降の対象部位特定を行う場合には、対象部位の特定の度に再度紐を結ぶ作業が必要になり、作業負担が増加するとともに、紐の始点と終点を置く位置の誤差により特定部位がズレる可能性があるという課題がある。
本発明は、上記課題を解決し、作業負担を増大させること無く、所定以上の精度で対象部位の位置を特定できる毛髪の計測又は観測の部位特定方法及び装置を提供することを目的とする。
【課題を解決するための手段】
【０００６】
上記目的を達成するため本発明の毛髪の計測又は観測の部位特定方法は、第１に、頭部２の左右の側部に装着部１４をそれぞれ位置決め装着する装着工程と、該装着工程の後、頭部２の毛髪側２ｂに沿って円弧状に湾曲形成された状態で左右の装着部１４の一方側から他方側に架渡されて左右の各装着部１４側に前後回動可能に支持されるとともに、左右の装着部１４の少なくとも一方側に前後回動可能に設けられた回動体７に形成方向にスライド可能に取付けられたバンド８を、予め定められた部位特定スライド位置にスライド移動させることにより、頭部２の形状にバンド８を対応させるスライド調整工程と、スライド調整工程の後、前記バンド８を予め定められた前後回動位置である部位特定回動位置に前後回動させることにより、該バンド８が計測又は観察の対象となる対象部位Ｐの近傍を通過する状態とする回動調整工程と、該回動調整工程の後、バンド８上の予め定められた箇所である部位特定位置に基づいて上記対象部位Ｐを特定する部位特定工程とを有することを特徴としている。
【０００７】
第２に、任意に選択された頭部２毛髪側２ｂの箇所である上記対象部位Ｐの近傍を通過するようにバンド８を前後回動させ、この際のバンド８の装着部１４に対する前後回動位置を部位特定回動位置として定めることを特徴としている。
【０００８】
第３に、任意に選択された頭部２毛髪側２ａの箇所である上記対象部位Ｐの近傍を通過するように前後回動させた状態のバンド８における上記対象部位Ｐと近接又は接触する箇所を、部位特定位置として定めることを特徴としている。
【０００９】
第４に、頭部２の左右の側部に装着部１４をそれぞれ位置決め装着した状態で、頭部２の形状に沿って円弧状に湾曲するようにバンド８を回動体７に対してスライド移動させ、該スライド移動させた位置を、上記部位特定スライド位置として定めることを特徴としている。
【００１０】
また、本発明の毛髪の計測又は観測の部位特定装置は、第１に、頭部２の左右の側部にそれぞれ位置決め装置される左右一対の装着部１４と、頭部２の毛髪側２ｂに沿って円弧状に湾曲形成された状態で左右の装着部１４の一方側から他方側に架渡されて左右の各装着部１４側に前後回動可能に支持されるとともに、左右の装着部１４の少なくとも一方側に前後回動可能に設けられた回動体７に形成方向にスライド可能に取付けられたバンド８とを備え、頭部２の形状にバンド８を対応させる予め定められたスライド位置である部位特定スライド位置と、バンド８が計測又は観察の対象となる対象部位Ｐの近傍を通過する前後回動位置である予め定められた部位特定回動位置と、バンド８上の上記対象部位Ｐを示す予め定められた箇所である部位特定位置とが分るように装着部１４及びバンド８を構成したことを特徴としている。
【発明の効果】
【００１１】
以上のように構成される本発明によれば、被験者の頭部の左右側部に装着部をそれぞれ装着し、バンドを部位特定回動位置に前後回動させ、部位特定位置を特定することにより、対象部位を所定以上の精度で特定可能であるため、特定精度の向上と特定作業の軽減を両立できるという効果がある他、バンドを予め定められた部位特定スライド位置にスライド移動させて被験者の頭部の形状にバンドを対応させることにより、様々な体格の被験者に適用可能になるため、汎用性が向上するという効果がある。
【図面の簡単な説明】
【００１２】
【図１】本発明を提供した毛髪の計測又は観測方法の処理手順を示すフロー図である。
【図２】本発明の適用した部位特定装置の全体斜視図である。
【図３】（Ａ）は本部位特定装置の要部側面図であり、（Ｂ）はバンドと部位特定位置の構成を示す平面図である。
【発明を実施するための形態】
【００１３】
以下、図示する例に基づき本発明の実施形態について説明する。
図１は、発明を提供した毛髪の計測又は観測方法の処理手順を示すフロー図であり、図２は、本発明の適用した部位特定装置の全体斜視図である。図２に示すサングラスタイプタイプの部位特定装置１を用いて、図１に示す手順で、毛髪の計測又は観測を行う。
【００１４】
まず、図２及び３に基づき、部位特定装置について説明する。
図２に示す部位特定装置１は、透明な樹脂によってサングラス状に成形されており、具体的には、被験者の頭部２の顔側２ａの両目をカバーして装着される左右方向の透明パネル部３と、左右一対のツル４，４と、左右の各ツル４の外側部側に固着された支持体６と、左右の支持体６，６にそれぞれ前後回動自在に取付けられる回動体７，７と、左右の回動体７，７の一方側から他方側に架渡されて被験者の頭部２の毛髪側２ｂに沿う円弧状をなすバンド８と、を備えている。
【００１５】
上記透明パネル３の左右方向中央部の下端部は、被験者の鼻９上部に載置状態で押し当てられる形状に成形されて鼻当て部として機能するように構成されている。
【００１６】
上記左右の各ツル４は、前端部である基端部がヒンジ部１１を介して透明パネルの対応する左右の各端部に左右回動自在に支持される一方、後端部である先端部が被験者の耳１２に引掛けて係止可能なように下方に屈曲形成されて耳掛け部４ａを構成している。上述のバンド８を取外した状態では、この左右のヒンジ１１によって、左右のツル４を透明パネル部３に沿って折畳むことが可能である。
【００１７】
上記支持体６は、固着されるツル４との間に隙間Ｓが形成されており、この隙間Ｓに上記回動体７の下半部が挿入された状態で、前後回動自在に支持されている。回動体７の隙間Ｓから上方突出した上半部は、平面視支持体６の外側方に突出しており、この突出部分には、バンド８をバンド８の形成方向にスライド自在に挿通支持する挿通孔７ａが穿設されている。
【００１８】
上記バンド８は、弾性変形可能な部材からなり、その両端部は、それぞれ左右の回動体７，７の挿通孔７ａにスライド自在に挿通支持されることにより取付けられ、この取付状態においては、バンド８における左右の回動体７の間の範囲である架渡し部分が被験者の頭部２の毛髪側２ｂに沿う円弧状に湾曲した状態になるとともに、左右の両回動体７が同一姿勢で一体的に前後回動される状態になる。すなわち、回動体７は、バンド８を支持体６に前後回動自在に支持するとともに、バンド８を支持体６のスライド自在に支持する部材になる。
【００１９】
そして、回動体７に対してバンド８をスライドすることによって、上述の架渡し部分の円弧形状の大きさを被験者の頭部２の大きさに対応させて変更することができるため、部位特定装置１の汎用性が向上する。また、バンド８を所定スライド位置に係止するために、各回動体７には、外側面側から挿通孔７ａに至る係止部材である係止ネジ１３が係合挿入されており、挿通孔７ａにバンド８が挿入された状態で、係止ネジ１３を締めることにより先端がベルト８に当接し、該ベルト８が回動体７に係止される
【００２０】
上記構成の部位特定装置１は、上述の鼻当て部として機能する箇所を被験者の鼻９の押当て載置した状態で、左右のツル４の耳掛け部４ａをそれぞれ被験者の左右の耳１２に引掛けて係合させることにより、被験者の頭部２に装着される。この際、左右のツル４及び支持体６が、それぞれ被験者の頭部２の左右側部に位置決め固定される装着部１４になる。
【００２１】
図３は、（Ａ）は本部位特定装置の要部側面図であり、（Ｂ）はバンドと部位特定位置の構成を示す平面図である。回動体７の上述した突出部分の外側面及び支持体６の外側面には、バンド８の前後回動位置を示す位置確認手段１６が設けられている。この位置確認手段１６は、回動体７の上記外側面に設けられた指針部１７と、支持体６の上記外側面に設けられて目盛りが記載された目盛り部１８とにより構成されている。
【００２２】
バンド８が装着部１４に対して前後回動されると、指針部１７の目盛り部１８を指示す位置が変更され、この指針部１７によって指示される目盛り部１８の値（位置）を読むことによって、バンド８の装着部１４に対する前後回動位置を確認できる。
【００２３】
次に、図１乃至３に基づき、毛髪の計測又は観測方法の手順について説明する。
まず、被験者の頭部２における毛髪が生える上部半球側である毛髪側２ａにおいて、任意の方形状の領域を選択し、この領域を、計測又は観測の対象部分である対象部位Ｐとする。そして、図１に示す手順により、毛髪の計測又は観測を行う。
【００２４】
図１に示す毛髪の計測又は観測方法には、対象部位Ｐの位置を正確に特定するための準備作業である部位特定準備作業１９と、対象部位Ｐに対して観察又は計測を行うための前作業である前処理作業２１と、対象部位Ｐの位置を特定する部位特定作業２２と、観察又は計測作業２３とが用意され、初回の計測又は観測では、部位特定準備作業１９→前処理作業２１→観察又は計測作業２３の順に作業を行い、２回目以降の計測又は観測では、部位特定作業２２→観察又は計測作業２の順に作業を行う。ちなみに、部位特定準備作業１９及び部位特定作業２２が、本発明の毛髪の計測又は観測の部位特定方法を構成しており、以下、それぞれの作業について説明する。
【００２５】
上記部位特定準備作業１９は、ステップＳ１から作業を開始する。ステップＳ１の装着工程では、上述のようにして部位特定装置１を被験者の頭部２の装着し、ステップＳ２に進む。
【００２６】
ステップＳ２のスライド位置決定工程では、被験者の頭部２毛髪側２ｂの形状や大きさに対応してバンド８が近接又は接触状態で頭部２毛髪側２ｂに沿って円弧状に湾曲するように回動体７に対してバンド８をスライド調整する。この際のバンド８のスライド位置を部位特定スライド位置として定め、図３（Ａ）に示すように、スライドマーク２４としてバンド８に印をつけ、この部位特定スライド位置を記録しておく。
【００２７】
具体的には、バンド８における回動体７の上端と近接又は接触する箇所にスライドマーク２４として印を付け、次回以降の計測又は観測では、上記第１マーク２４が回動体７の上端に位置するようにバンド８をスライド移動させることにより、バンド８を部位特定スライド位置に変位させる。なお、バンド８に目盛りを設け、回動体７の上端が示す目盛りの値を覚えておくことにより、部位特定スライド位置を記録してもよい。続いて、ステップＳ３に進む。
【００２８】
ステップＳ３の回動位置決定工程では、上述の対象部位Ｐに、バンド８の前記架渡し部分の何れかの箇所が近接又は接触するように、部位特定スライド位置にスライドされたバンド８を前後回動させ、この際のバンド８の前後回動位置を部位特定回動位置として定め、上述の指針部１７の指示す目盛り部１８の値を覚えておくことにより、部位特定回動位置を記録しておく。ちなみに、図示する例では、方形状の対象部位Ｐにおける一対の対向辺の一方側がバンド８の一方側の縁に沿うようにバンド８を前後回動させた位置が部位特定回動位置になる。なお、指針部１７の示す箇所に、回動マーク（図示しない）として印をつけることにより、部位特定回動位置を記憶してもよい他、左右の装着部１４のそれぞれに回動体７及び位置確認手段１６が設けられているため、左右の回動体７それぞれに対して、部位特定回動位置を定めてもよい。続いて、ステップＳ４に進む。
【００２９】
ステップＳ４の位置決定工程では、部位特定スライド位置にスライドされ且つ部位特定回動位置に回動されたバンド８の対象部位Ｐと近接又は接触する箇所に、位置マーク２６として印をつけることにより、この印をつけた位置を部位特定位置として記録し、部位特定準備作業１９を完了する。ちなみに、図示する例では、対象部位Ｐの両端に一対の位置マーク２６をつける。なお、バンド８に目盛りを記載し、バンド８の対象部位Ｐと近接乃至接触する箇所の目盛りの値を覚えておくことにより、部位特定位置を記憶してもよい。
【００３０】
以上、部位特定スライド位置、部位特定回動位置及び部位特定位置が分り且つこれを記録できるように上述のバンド８及び装着部１４が構成され、これらの情報を用いて次に説明する部位特定作業２２を行う。
【００３１】
上記部位特定作業２２では、ステップＳ１１から作業を開始する。ステップＳ１１の装着工程では、上述のステップＳ１と同様の作業を行い、ステップＳ１２に進む。
【００３２】
ステップＳ１２のスライド調整工程では、バンド８を部位特定スライド位置にスライド移動させる。具体的には、スライドマーク２４が回動体７の上端に位置するようにバンド８をスライドさせる。そして、ステップＳ１３に進む。
【００３３】
ステップＳ１３の回動調整工程では、バンド８を部位特定回動位置に前後回動させる。具体的には、記録された目盛り部１８の値を指針部１７が指示すように、バンド８を前後回動させる。そして、ステップ１４に進む。
【００３４】
ステップＳ１４の部位特定工程では、バンド８の部位特定位置によって、対象部位Ｐを特定し、部位特定作業２２を完了させる。具体的には、バンド８の一対の位置マーク２６に挟まれた箇所が対象部位Ｐになり、さらに詳しくは、バンド８の一方側縁における２つの位置マーク２６間部分が方形状の対象部位Ｐの一辺側となるように対象部位Ｐの特定を行う。
【００３５】
上記前処理作業の内容は、上述の特許文献１と略同様であるが、簡単に説明すると、対象部位Ｐの毛髪の発育状況を観察又は計測するために、対象部位Ｐ内の毛髪を所定長さにカットする。
【００３６】
上記観測又は測定作業は、上述の特許文献１と略同様であるが、簡単に説明すると、対象部位Ｐをマイコロスコープ等によって撮影し、この撮影したデジタル画像を処理して、対象部位Ｐの毛髪の発育状態を観察又は計測する。
【００３７】
以上のように構成される毛髪の計測又は観測方法によれば、対象部位Ｐを簡易且つ正確に特定でき、発毛剤の効果の有無の比較実験等の作業効率が向上し、発毛効果等を容易に確認できる。
【符号の説明】
【００３８】
１  部位特定装置
２  頭部
２ｂ  毛髪側
７  回動体
８  バンド
１４  装着部
Ｐ  対象部位
【図１】
2011024836.tif 000003
【図２】
2011024836.tif 000004
【図３】
2011024836.tif 000005